(57)【要約】【課題】安価に製造することができ、複数のクリアファイルなどの物品を１つにまとめることができるファイリング部材を提供する。【解決手段】クリアファイルＦなどの物品の側端Ｆ１を貼り付けることで複数の物品を１つにまとめる略矩形シート状のファイリング部材１である。ファイリング部材１は、シートの対向する一対の長辺に沿ってシートの中央部２を折り曲げることにより互いに対面する一対の対面部３を有し、各対面部３には、中央部２から延び出して対面部３を通り、延び出した部分とは異なる位置で中央部２に戻るように形成された連続する第１切取線２１が一対の長辺が延びる方向に並んで２つ設けられている。そして、各対面部３は、第１切取線２１の外側に位置する第１貼付部３１と、第１切取線２１の内側に位置する複数の第２貼付部３２および第３貼付部３３とを有している。【選択図】図３
2014111336.tif 000002
【特許請求の範囲】
【請求項１】
封筒、クリアファイル、小冊子などの物品の側端を貼り付けることで複数の前記物品を１つにまとめる略矩形シート状のファイリング部材であって、
シートの対向する一対の辺に沿って前記シートの中央部を折り曲げることにより互いに対面する一対の対面部を有し、
前記対面部の少なくとも一方には、前記中央部から延び出して当該対面部を通り、延び出した部分とは異なる位置で前記中央部に戻るように形成された連続する第１切取線が前記一対の辺が延びる方向に並んで少なくとも２つ設けられ、
前記第１切取線が少なくとも２つ設けられた対面部は、前記第１切取線の外側に位置する外側貼付部と、前記第１切取線の内側に位置する複数の内側貼付部とを有することを特徴とするファイリング部材。
【請求項２】
前記内側貼付部には、当該内側貼付部を複数の貼付部に分割可能な少なくとも１つの第２切取線が設けられていることを特徴とする請求項１に記載のファイリング部材。
【請求項３】
前記第２切取線は、前記中央部から延び出して前記内側貼付部を通り、延び出した部分とは異なる位置で前記中央部に戻るように形成されていることを特徴とする請求項２に記載のファイリング部材。
【請求項４】
前記第２切取線は、ミシン目状に形成されていることを特徴とする請求項２または請求項３に記載のファイリング部材。
【請求項５】
前記第１切取線は、ミシン目状に形成されていることを特徴とする請求項１から請求項４のいずれか１項に記載のファイリング部材。
【請求項６】
前記第２切取線は、切断済みであることを特徴とする請求項２または請求項３に記載のファイリング部材。
【請求項７】
前記第１切取線は、切断済みであることを特徴とする請求項１から請求項４および請求項６のいずれか１項に記載のファイリング部材。
【請求項８】
前記一対の辺が延びる方向における少なくとも一方の端部には、前記一対の辺が延びる方向に直交する方向に延び、切断することで前記一対の辺方向の長さを調整可能とする第３切取線が設けられていることを特徴とする請求項１から請求項７のいずれか１項に記載のファイリング部材。
【請求項９】
前記外側貼付部および前記内側貼付部には、前記物品の側端を貼り付けるための粘着部材が設けられていることを特徴とする請求項１から請求項８のいずれか１項に記載のファイリング部材。
【請求項１０】
前記外側貼付部には、前記物品の側端を固定する固定部が前記中央部に隣接して設けられていることを特徴とする請求項１から請求項９のいずれか１項に記載のファイリング部材。
【請求項１１】
前記内側貼付部のうち少なくとも前記第２切取線の外側に位置するものには、前記物品の側端を固定する固定部が前記中央部に隣接して設けられていることを特徴とする請求項３に記載のファイリング部材。
【発明の詳細な説明】
【技術分野】
【０００１】
本発明は、封筒、クリアファイル、小冊子などの物品の側端を貼り付けることで複数の物品を１つにまとめることができるファイリング部材に関する。
【背景技術】
【０００２】
従来より、封筒の側端に取り付ける封筒カバーが知られている（特許文献１参照）。この封筒カバーは、未使用状態ではシート状をなしており、長手方向に沿って中央部に設けられた複数の折線部のうちの２つを折り曲げることで、背表紙部と、背表紙部を挟んで対向する一対の挟持部とが形成されるように構成されている。そして、挟持部の内面側に設けられた粘着部により、挟持部で封筒の側端を挟むようにして封筒に取り付けられる。
【０００３】
このような封筒カバーによれば、背表紙部にタイトルなどを記載することで、複数の封筒が縦に積まれた場合や棚などに横に並べて保管された場合であっても、封筒に保管されている書類の内容をすぐに判別することができるという利点を有している。また、このような封筒カバーを使用することで、郵送されてきた封筒をそのまま書類の保管に利用することができるという利点も有している。
【先行技術文献】
【特許文献】
【０００４】
【特許文献１】特許第４１５９８０７号公報（図１〜３）
【発明の概要】
【発明が解決しようとする課題】
【０００５】
ところで、前記した封筒カバーは、１つの封筒に取り付けられるものであったため、複数の封筒を１つにまとめたいというニーズに応えられるものではなかった。もちろん、従来のリング式ファイルやＺ式ファイル（書類を挟み込むための留め具を有するファイル）などを使用すれば１つにまとめることはできるが、郵送されてきた封筒を有効利用するという意義が薄れるとともに、これらのファイルにコストがかかるという問題がある。また、封筒に限らず、クリアファイルやリーフレット、あるいは、カタログやパンフレットなどの小冊子を１つにまとめたいというニーズもある。
【０００６】
本発明は、以上のような背景に鑑みてなされたものであり、安価に製造することができ、複数の封筒や複数のクリアファイルなどの物品を１つにまとめることができるファイリング部材を提供することを目的とする。
【課題を解決するための手段】
【０００７】
前記した目的を達成するための本発明は、封筒、クリアファイル、小冊子などの物品の側端を貼り付けることで複数の前記物品を１つにまとめる略矩形シート状のファイリング部材であって、シートの対向する一対の辺に沿って前記シートの中央部を折り曲げることにより互いに対面する一対の対面部を有し、前記対面部の少なくとも一方には、前記中央部から延び出して当該対面部を通り、延び出した部分とは異なる位置で前記中央部に戻るように形成された連続する第１切取線が前記一対の辺が延びる方向に並んで少なくとも２つ設けられ、前記第１切取線が少なくとも２つ設けられた対面部は、前記第１切取線の外側に位置する外側貼付部と、前記第１切取線の内側に位置する複数の内側貼付部とを有することを特徴とする。
【０００８】
このようなファイリング部材によれば、例えば、各貼付部にそれぞれ封筒やクリアファイルなどの物品の側端を貼り付けることで、複数の物品を１つにまとめることができる。また、ファイリング部材は、例えば、紙や樹脂製のシートなどのシート状の部材に切取線を形成することで製造することができるので、従来のリング式ファイルやＺ式ファイルなどと比較して、安価に製造することができる。
【０００９】
さらに、ファイリング部材は、第１切取線が、前記一対の辺が延びる方向に並んで少なくとも２つ設けられているので、２つの第１切取線の間の部分が、中央部と、外側貼付部の一対の辺に沿って延びる部分とを繋いでいる。すなわち、外側貼付部は、一対の辺が延びる方向の両端のほかに、その間の少なくとも１箇所で中央部と繋がる部分を有する構成となっている。そのため、外側貼付部に貼り付けられた物品の側端は、一対の辺が延びる方向の両端とその間の１箇所以上の箇所とで外側貼付部に押さえられるので、外側にめくれないようになっている。
【００１０】
前記したファイリング部材において、前記内側貼付部には、当該内側貼付部を複数の貼付部に分割可能な少なくとも１つの第２切取線が設けられていることが好ましい。
これによれば、貼付部の数を増やすことができるので、１つにまとめる（綴じる）ことができる物品の数を増やすことができる。
【００１１】
このような第２切取線は、例えば、前記中央部から延び出して前記内側貼付部を通り、延び出した部分とは異なる位置で前記中央部に戻るように形成することができる。
【００１２】
前記した第２切取線が設けられたファイリング部材において、前記第２切取線は、ミシン目状に形成されていてもよい。また、前記した各ファイリング部材において、前記第１切取線は、ミシン目状に形成されていてもよい。
【００１３】
これによれば、使用者は、道具を使用することなく、外側貼付部と内側貼付部を切り離したり、内側貼付部を分割したりできるので、ファイリング部材の使いやすさを向上させることができる。また、切り取る線を使用者が選択することで、貼付部の数を調整することができるので、綴じることができる物品の数を調整することができる。
【００１４】
また、前記した第２切取線が設けられたファイリング部材において、前記第２切取線は、切断済みであってもよい。また、前記した各ファイリング部材において、前記第１切取線は、切断済みであってもよい。
【００１５】
これによれば、使用者自らが、外側貼付部と内側貼付部を切り離したり、内側貼付部を分割したりする手間を省くことができるので、ファイリング部材の使いやすさを向上させることができる。
【００１６】
前記した各ファイリング部材において、前記一対の辺が延びる方向における少なくとも一方の端部には、前記一対の辺が延びる方向に直交する方向に延び、切断することで前記一対の辺方向の長さを調整可能とする第３切取線が設けられていてもよい。
【００１７】
これによれば、ファイリング部材の長さ（物品の側端に対応する部分の長さ）を調整することができるので、物品のサイズに適合させてファイリング部材を使用することができる。
【００１８】
前記した各ファイリング部材において、前記外側貼付部および前記内側貼付部には、前記物品の側端を貼り付けるための粘着部材が設けられていてもよい。
これによれば、物品を貼り付ける際に、使用者が、貼付部に糊や接着剤などを塗る必要がなくなるので、ファイリング部材の使いやすさを向上させることができる。
【００１９】
前記した各ファイリング部材において、前記外側貼付部には、前記物品の側端を固定する固定部が前記中央部に隣接して設けられていてもよい。また、前記した第２切取線が中央部から延び出して内側貼付部を通り、延び出した部分とは異なる位置で中央部に戻るように形成されたファイリング部材において、前記内側貼付部のうち少なくとも前記第２切取線の外側に位置するものには、前記物品の側端を固定する固定部が前記中央部に隣接して設けられていてもよい。
【００２０】
これによれば、貼付部に貼り付けられた物品の側端が、固定部によって貼付部に固定されることとなるので、物品の側端をめくれないようにすることができる。
【発明の効果】
【００２１】
本発明によれば、各貼付部にそれぞれ封筒やクリアファイルなどの物品の側端を貼り付けることで、複数の物品を１つにまとめることができる。また、ファイリング部材は、シート状の部材に切取線を形成することで製造することができるので、安価に製造することができる。
【図面の簡単な説明】
【００２２】
【図１】本発明の一実施形態に係るファイリング部材の表面側を示す正面図である。
【図２】ファイリング部材の裏面側を示す正面図である。
【図３】ファイリング部材の使用方法の説明図である。
【図４】ファイリング部材の使用状態を示す斜視図である。
【図５】ファイリング部材の使用状態を示す斜視図である。
【図６】ファイリング部材の使用状態を示す斜視図である。
【図７】第１の変形例に係るファイリング部材の裏面側を示す正面図である。
【図８】第２の変形例に係るファイリング部材の裏面側を示す正面図である。
【図９】第３の変形例に係るファイリング部材の拡大図であり、表面側を示す正面図（ａ）と、第１折曲線で折り曲げた斜視図（ｂ）と、第２折曲線で折り曲げた斜視図（ｃ）と、第３折曲線で折り曲げた斜視図（ｄ）である。
【図１０】第４の変形例に係るファイリング部材の表面側を示す正面図である。
【図１１】第５の変形例に係るファイリング部材の表面側を示す正面図である。
【図１２】第６の変形例に係るファイリング部材の表面側を示す正面図である。
【図１３】第７の変形例に係るファイリング部材の表面側を示す正面図である。
【発明を実施するための形態】
【００２３】
次に、本発明の一実施形態について、適宜図面を参照しながら詳細に説明する。
図１に示すように、ファイリング部材１は、未使用状態において、略矩形のシート状をなしており、折曲線１２と、第１切取線２１と、第２切取線２２とが設けられている。このファイリング部材１は、樹脂製のシートから形成されている。具体的には、例えば、ポリプロピレン製のシートなどを用いて形成することができる。
【００２４】
折曲線１２は、シート状のファイリング部材１の対向する一対の長辺に沿って図１の上下方向に延びる折り曲げ用の線であり、シートの短手方向（図１の左右方向）の中央に２つ並んで形成されている。このような折曲線１２は、例えば、筋入れ加工を施すことで形成された線であってもよいし、印刷された線であってもよい。以下、この２つの折曲線１２の間の部分を中央部２と呼ぶ。
【００２５】
ファイリング部材１は、中央部２の両側部分であって、折曲線１２（中央部２の両側）を折り曲げることにより互いに対面する（図４参照）一対の対面部３を有している。そして、各対面部３には、それぞれ、第１切取線２１と第２切取線２２が２つずつ形成されている。
【００２６】
第１切取線２１は、中央部２から延び出して当該対面部３を通り、延び出した部分とは異なる位置で中央部２に戻るように形成された連続する切り取り用の線である。より詳細に、第１切取線２１は、略Ｃ形状をなしており、中央部２から図１の左右方向外側に向けて延び出した後、屈曲して上下方向に沿って延び、さらに左右方向内側に向けて屈曲し、中央部２に向かって延びるように形成されている。
【００２７】
各対面部３において、略Ｃ形状の第１切取線２１は、図１の上下方向（一対の長辺が延びる方向）に並んで２つずつ設けられている。また、各対面部３の第１切取線２１は、中央部２を基準として対称（左右対称）に設けられている。なお、本発明において、第１切取線２１および後述する第２切取線２２は、互いに交差しないように形成されている。
【００２８】
一対の対面部３は、それぞれ、２つの第１切取線２１の外側に位置する略Ｅ形状の第１貼付部３１（外側貼付部）と、第１切取線２１の内側に位置する２つの内側貼付部３０とを有している。また、各内側貼付部３０には、１つずつ第２切取線２２が設けられており、当該内側貼付部３０を２つの貼付部（第２貼付部３２および第３貼付部３３）に分割可能となっている。したがって、本実施形態において、各対面部３は、それぞれ、３つの貼付部３１〜３３を有し、ファイリング部材１としては合計で６つの貼付部を有している。
【００２９】
第２切取線２２は、中央部２から延び出し、内側貼付部３０を第２貼付部３２と第３貼付部３３に分割するように内側貼付部３０を通り、延び出した部分とは異なる位置で中央部２に戻るように形成されている。より詳細に、第２切取線２２は、第１切取線２１よりも一回りほど小さい略Ｃ形状をなしており、第１切取線２１に沿うように、中央部２から図１の左右方向外側に向けて延び出した後、屈曲して上下方向に沿って延び、さらに左右方向内側に向けて屈曲し、中央部２に向かって延びるように形成されている。
【００３０】
本実施形態において、第１切取線２１および第２切取線２２は、ミシン目状に形成されている。より詳細に、第１切取線２１は、複数の接続部２１Ａで第１貼付部３１と内側貼付部３０（第２貼付部３２）とが部分的に接続されたミシン目状に形成され、第２切取線２２は、複数の接続部２２Ａで第２貼付部３２と第３貼付部３３とが部分的に接続されたミシン目状に形成されている。そして、第１切取線２１および第２切取線２２は、使用するときに使用者によって切り離される。
【００３１】
図２に示すように、第１貼付部３１、第２貼付部３２および第３貼付部３３の裏側面には、クリアファイルＦ（図３参照）などの物品の側端Ｆ１を貼り付けるための粘着部材４が設けられている。そして、粘着部材４には、使用するときに十分な粘着性を発揮することができるように、使用時まで剥離シート５が貼り付けられている。このような粘着部材４（および剥離シート５）は、例えば、両面テープを貼り付けて形成してもよいし、公知の粘着剤を塗布して形成してもよい。
【００３２】
また、第１貼付部３１および第２貼付部３２（内側貼付部３０のうち第２切取線２２の外側に位置するもの）には、物品の側端Ｆ１を係止して固定する固定部の一例としての係止部６が中央部２に隣接して、より詳細には、中央部２と剥離シート５（粘着部材４）との間の連結部３１Ａ，３１Ｂ，３２Ａの中央部２寄りにそれぞれ設けられている。本実施形態において、係止部６は、略矩形状に形成された樹脂製のシートの中央部２側の端部を、各連結部３１Ａ，３１Ｂ，３２Ａの裏側面に溶着や接着することなどにより設けられている。
【００３３】
図３に示すように、ファイリング部材１を使用するときには、第１切取線２１や第２切取線２２をミシン目に沿って切り離し、折曲線１２に沿って折り曲げることで、貼付部３１〜３３を形成する。そして、貼付部３１〜３３の裏面側の剥離シート５を剥がして粘着部材４を露出させ、クリアファイルＦなどの物品の側端Ｆ１を貼り付けることで、クリアファイルＦがファイリング部材１に綴じられることとなる。
【００３４】
なお、第１貼付部３１および第２貼付部３２にクリアファイルＦを貼り付ける際には、クリアファイルＦを実際に粘着部材４に貼り付ける前に、まず、側端Ｆ１（端部Ｆ２）を、係止部６と、第１貼付部３１（連結部３１Ａ，３１Ｂ）または第２貼付部３２（連結部３２Ａ）との間に差し込む。その後、クリアファイルＦを実際に粘着部材４（第１貼付部３１または第２貼付部３２）に貼り付ける。
【００３５】
本実施形態のファイリング部材１は、６つの貼付部３１〜３３を有しているので、各貼付部３１〜３３にそれぞれクリアファイルＦを貼り付けることで、図４〜６に示すように、合計６つのクリアファイルＦを１つの冊子状にまとめることができるようになっている。
【００３６】
また、ファイリング部材１は、基本的には紙や樹脂製のシートなどに折曲線１２や第１切取線２１、第２切取線２２を形成することで製造することができるので、従来のリング式ファイルやＺ式ファイルなどと比較して、安価に製造することができる。
【００３７】
さらに、ファイリング部材１は、各対面部３において、２つの第１切取線２１が、中央部２に沿って上下方向に並んで設けられているので、図４に示すように、第１貼付部３１は、上下両端の連結部３１Ａのほかに、必ず、連結部３１Ａの間に形成される連結部３１Ｂを有する構成となる。
【００３８】
そのため、第１貼付部３１に貼り付けられたクリアファイルＦの側端Ｆ１は、上下両端の連結部３１Ａと、その間の連結部３１Ｂとで第１貼付部３１に押さえられるので、外側にめくれないようになっている。すなわち、第１貼付部３１は、必ず連結部３１Ａ，３１Ｂを有することで、いわば表裏の表紙となる１枚目および６枚目のクリアファイルＦの形状を維持することができるとともに、さらに、冊子状をなす複数のクリアファイルＦの美観を向上させることができるようになっている。
【００３９】
また、ファイリング部材１は、第１貼付部３１（シート）の外縁部に切れ目がない構成となっているので、その強度を確保することができるようになっている。これによっても、第１貼付部３１は、表紙となる１枚目および６枚目のクリアファイルＦの形状を維持することができるとともに、美観を向上させることができるようになっている。
【００４０】
また、ファイリング部材１は、内側貼付部３０に当該内側貼付部３０を第２貼付部３２と第３貼付部３３とに分割する第２切取線２２が設けられているので、このような第２切取線２２が設けられていない構成と比較して、貼付部の数を増やすことができ、綴じることができるクリアファイルＦなどの数を増やすことができるようになっている。
【００４１】
また、ファイリング部材１は、第１切取線２１および第２切取線２２がミシン目状に形成されているので、使用者は、道具を使用することなく、各貼付部３１〜３３を切り離すことができ、使いやすさを向上させることができるようになっている。また、切り取る線を使用者が選択することで、貼付部の数を調整することができるので、綴じることができるクリアファイルＦなどの数を調整することができる。
【００４２】
また、ファイリング部材１は、貼付部３１〜３３に粘着部材４が設けられているので、クリアファイルＦなどを貼り付ける際に、使用者が、貼付部３１〜３３に糊や接着剤などを塗る必要がなくなるので、使いやすさを向上させることができるようになっている。
【００４３】
さらに、ファイリング部材１は、第１貼付部３１と第２貼付部３２に係止部６が設けられているので、図５，６に示すように、貼付部３１，３２に貼り付けられたクリアファイルＦの側端Ｆ１は、係止部６と貼付部３１，３２とにより挟まれることで、貼付部３１，３２に固定されることとなる。これにより、クリアファイルＦの側端Ｆ１が内側にめくれないようになっている。
【００４４】
また、クリアファイルＦの側端Ｆ１が係止部６と貼付部３１，３２とにより挟まれることで、クリアファイルＦに綴じられた書類の端もまた係止部６と貼付部３１，３２とにより挟まれることとなる。これにより、書類の端が係止部６と貼付部３１，３２とによって押さえられることになるので、クリアファイルＦからの書類の飛び出しを抑制することができるようになっている。
【００４５】
以上、本発明の一実施形態について説明したが、本発明は前記実施形態に限定されるものではない。具体的な構成については、本発明の趣旨を逸脱しない範囲で適宜変更が可能である。
【００４６】
前記実施形態では、係止部６が、樹脂製のシートを連結部３１Ａ，３１Ｂ，３２Ａの裏側面に溶着や接着することなどにより設けられていたが、本発明はこれに限定されるものではない。例えば、図７に示すように、係止部６は、連結部３１Ａ，３１Ｂ，３２Ａに略Ｕ形状の切り込みを形成することによって設けられていてもよい。
【００４７】
前記した形態では、固定部として係止部６を例示したが、本発明はこれに限定されるものではない。例えば、図８に示すように、第１貼付部３１や第２貼付部３２（内側貼付部３０のうち第２切取線２２の外側に位置するもの）に、物品の側端が貼り付けられることで、当該物品の側端を固定する固定部の他の例としての粘着部材７が、粘着部材４とは別に、中央部２に隣接して設けられていてもよい。これによっても、物品の側端が粘着部材７によって貼付部３１，３２に固定されることとなるので、物品の側端をめくれないようにすることができる。なお、粘着部材４と同様に、粘着部材７にも使用時まで剥離シート５が貼り付けられていることが好ましい。
【００４８】
前記した形態では、内側貼付部３０のうち第２切取線２２の外側に位置する第２貼付部３２だけに係止部６や粘着部材７（固定部）が設けられていたが、本発明はこれに限定されるものではない。すなわち、係止部６や粘着部材７は、第２切取線２２の内側に位置する第３貼付部３３にも設けられていてもよい。ちなみに、前記した形態では、第３貼付部３３の粘着部材４が中央部２に隣接して設けられているので、第３貼付部３３に貼り付けられた物品の側端はめくれにくくなっている。そのため、前記した形態では、係止部６や粘着部材７を第３貼付部３３には意図的に設けていない。
【００４９】
前記実施形態では、ファイリング部材１は、背表紙となる中央部２の幅が一定の幅であったが、本発明はこれに限定されるものではない。例えば、図９（ａ）に示すように、中央部２付近に複数の折曲線１１〜１３を形成し、背表紙の幅を調整可能に構成してもよい。このような構成では、物品としてリーフレットのような薄いものを綴じる場合には、図９（ｂ）に示すように、第２折曲線１２の内側に形成された１つの第１折曲線１１で折り曲げて、背表紙の幅がほとんどないような状態で使用することができる。
【００５０】
また、物品として書類が収容されるクリアファイルや封筒のようなものを綴じる場合には、図９（ｃ）に示すように、２つの第２折曲線１２で折り曲げて、中央部２を背表紙として使用することができる。さらに、物品としてカタログやパンフレットなどのような１つ１つにある程度の厚みがある小冊子を綴じる場合には、図９（ｄ）に示すように、第２折曲線１２の外側に形成された２つの第３折曲線１３で折り曲げて、背表紙の幅を大きくして使用することもできる。
【００５１】
前記実施形態では、第１切取線２１や第２切取線２２がミシン目状に形成されていたが、本発明はこれに限定されるものではない。例えば、第１切取線や第２切取線は、ファイリング部材を出荷する段階で、切断済みであってもよい。これによれば、使用者自らが、第１切取線や第２切取線を切り離すという手間を省くことができるので、ファイリング部材の使いやすさを向上させることができる。また、第１切取線や第２切取線は、筋入れ加工を施すことで形成された線であってもよいし、印刷された線であってもよい。この場合は、使用するときに使用者がハサミやカッターナイフなどで切断することとなる。
【００５２】
前記実施形態では、ファイリング部材１は、適合する物品のサイズが１種類であったが、本発明はこれに限定されるものではない。例えば、図１０に示すように、ファイリング部材１は、折曲線１２（一対の長辺）が延びる方向における上下の端部に、折曲線１２が延びる方向に直交する方向（図１０の左右方向）に延びる第３切取線２３が設けられていてもよい。そして、この第３切取線２３を切断することで、ファイリング部材１の上端部と下端部を切り離すことができるので、図１０の上下方向の長さを調整することができる。
【００５３】
これにより、２種類のサイズに適合させてファイリング部材１を使用することができる。具体的には、例えば、切り離し前の上下方向の長さＬ１をＡ４サイズの書類を収容可能なクリアファイルのサイズに適合させ、一方の第３切取線２３から他方の第３切取線２３までの長さＬ２をＢ５サイズの書類を収容可能なクリアファイルのサイズに適合させることができる。
【００５４】
なお、このような第３切取線２３を設ける場合において、第３切取線２３は、折曲線１２が延びる方向における両端部のうちの一方だけ（例えば、上端部だけまたは下端部だけ）に設けられていてもよい。また、第３切取線２３は、ミシン目状（図１０参照）に形成されていてもよいし、筋入れ加工を施すことで形成された線であってもよいし、印刷された線であってもよい。
【００５５】
前記実施形態では、貼付部３１〜３３の裏面側にだけ粘着部材４が設けられていたが、本発明はこれに限定されず、例えば、表面側にも粘着部材が設けられていてもよい。具体的には、前記実施形態の貼付部３１〜３３の表裏の両面に粘着部材が設けられていてもよい。これによれば、綴じることができる物品の数を倍増させることができる。また、前記実施形態において、第２貼付部３２および第３貼付部３３の表裏の両面に粘着部材が設けられていてもよい。これによれば、全部で１０枚のクリアファイルＦなどを綴じることができる。
【００５６】
前記実施形態では、貼付部３１〜３３に粘着部材４が設けられていたが、本発明はこれに限定されず、例えば、粘着部材が設けられていない構成であってもよい。この場合は、物品を貼り付ける際に、使用者が、貼付部に糊や接着剤などを塗ることとなる。
【００５７】
前記実施形態では、第２切取線２２が、第１切取線２１と同様に、中央部２から延び出して内側貼付部３０を通り、延び出した部分とは異なる位置で中央部に戻る略Ｃ形状に形成されていたが、本発明はこれに限定されるものではない。例えば、図１１に示すように、第２切取線２２は、内側貼付部３０を上下に分割するような、内側貼付部３０を横断する（図１１の左右方向に延びる）直線状に形成されていてもよい。
【００５８】
前記実施形態では、第１切取線２１や第２切取線２２が略Ｃ形状に形成されていたので、第１切取線２１または第２切取線２２と、折曲線１２とによって囲まれる第２貼付部３２や第３貼付部３３が略矩形状をなしていたが、貼付部の形状はこれに限定されるものではない。例えば、図１２に示すように、第１切取線２１や第２切取線２２を略半円形状に形成し、第２貼付部３２や第３貼付部３３が略半円形状をなしていてもよい。また、図示は省略するが、第２貼付部３２や第３貼付部３３が略三角形状をなしていてもよい。
【００５９】
前記実施形態では、一対の対面部３のそれぞれに第１切取線２１が２つずつ設けられていたが、本発明はこれに限定されず、例えば、図１３に示すように、一対の対面部３のそれぞれに第１切取線２１が３つずつ設けられていてもよい。この場合、内側貼付部３０は、３つ形成されることとなる。また、一対の対面部のそれぞれに第１切取線が４つ以上形成されていてもよい。
【００６０】
前記実施形態では、各内側貼付部３０に当該内側貼付部３０を２つの貼付部３２，３３に分割可能な１つの第２切取線２２が設けられていたが、本発明はこれに限定されるものではない。例えば、各内側貼付部に第２切取線を２つ以上設けて、内側貼付部を３つ以上に分割するように構成してもよい。また、本発明においては、第２切取線は必須の要件ではないため、内側貼付部に第２切取線を設けなくてもよい（図１３参照）。
【００６１】
前記実施形態では、一対の対面部３（第１切取線２１および第２切取線２２）が中央部２を基準として対称に形成されていたが、本発明はこれに限定されるものではない。すなわち、前記実施形態では、各対面部３に形成された貼付部３１〜３３の数が同じであったが、これに限定されず、例えば、各対面部に形成される貼付部の数は異なっていてもよい。また、前記実施形態では、一対の対面部３の両方に切取線２１，２２が設けられていたが、これに限定されず、例えば、一対の対面部の一方だけに切取線（貼付部）が設けられる構成であってもよい。
【００６２】
前記実施形態では、ファイリング部材１が樹脂製のシートから形成されていたが、本発明はこれに限定されず、例えば、紙などから形成されていてもよい。補足すると、ファイリング部材を紙から形成する場合には、ファイリング部材が適度な強度を有するように、厚い紙、例えば、板紙やボール紙などを用いることが好ましい。
【符号の説明】
【００６３】
１      ファイリング部材
２      中央部
３      対面部
４      粘着部材
６      係止部
７      粘着部材
２１    第１切取線
２２    第２切取線
２３    第３切取線
３０    内側貼付部
３１    第１貼付部
３２    第２貼付部
３３    第３貼付部
Ｆ      クリアファイル
Ｆ１    側端
【図１】
2014111336.tif 000003
【図２】
2014111336.tif 000004
【図３】
2014111336.tif 000005
【図４】
2014111336.tif 000006
【図５】
2014111336.tif 000007
【図６】
2014111336.tif 000008
【図７】
2014111336.tif 000009
【図８】
2014111336.tif 000010
【図９】
2014111336.tif 000011
【図１０】
2014111336.tif 000012
【図１１】
2014111336.tif 000013
【図１２】
2014111336.tif 000014
【図１３】
2014111336.tif 000015